(57)【特許請求の範囲】
【請求項１】
入賞口への遊技球の入賞を検知して入賞信号を出力する入賞検知手段と、前記入賞検知手段が出力した入賞信号に基づき球払出装置を制御して賞球としての遊技球を払出させる制御手段を備え、遊技機に接続されるプリペイドカードユニットからの信号に基づき前記球払出装置により貸し球としての遊技球を払出すパチンコ遊技機において、
前記制御手段は、
前記プリペイドカードユニットが接続されている場合であって、前記球払出装置の下流側通路内が所定の満杯状態であるか否かを検知する満杯検知手段が所定の満杯状態であることを検知した場合には、前記球払出装置を払出し停止状態に制御するとともに所定の報知装置を満杯報知状態に制御する一方で、球発射装置による遊技球の発射を許容し、
前記プリペイドカードユニットが未接続の場合には、前記球発射装置による遊技球の発射を規制するようになっており、
前記報知装置は、大入賞口を開放させるラウンド遊技が複数回行われる大当り遊技時に大当り遊技用の遊技演出として音声出力による音声演出を実行する音声演出装置であり、１回のラウンド遊技は、前記大入賞口を開放することにより開始されるとともに、前記大入賞口を開放させてから規定時間が経過した場合、又は規定個数の遊技球が前記大入賞口に入球した場合に、前記大入賞口を閉鎖することにより終了され、
前記制御手段は、前記大当り遊技時に大入賞口の開放動作を制御し、前記ラウンド遊技の途中で満杯検知手段が所定の満杯状態であることを検知した場合には、前記音声演出装置に実行させている大当り遊技用の遊技演出を満杯報知に変更して前記満杯報知状態に制御する一方で、前記満杯報知状態に制御している場合であって、前記ラウンド遊技の途中で満杯検知手段が所定の満杯状態であることを検知しなくなった場合には、前記音声演出装置に満杯報知を停止させ、当該満杯報知を停止させたラウンド遊技が終了する迄の間、前記音声出力が停止された無音状態に制御するとともに、前記満杯検知手段が所定の満杯状態であることを検知しなくなったラウンド遊技の終了後、前記音声演出装置に大当り遊技用の遊技演出を開始させるパチンコ遊技機。
【請求項２】
前記制御手段には、前記球払出装置を制御する払出し制御手段と、前記報知装置としての前記音声演出装置を制御する報知制御手段と、前記払出し制御手段及び前記報知制御手段を含むサブ制御手段群に対して遊技機における遊技状態制御のために各種の制御信号を出力するメイン制御手段とを含み、
前記メイン制御手段は、前記満杯検知手段からの満杯検知信号の入力に基づき、前記払出し制御手段が球払出装置を払出し停止状態に制御するための信号と、前記報知制御手段が前記報知装置としての前記音声演出装置を満杯報知状態に制御するための信号を出力するようになっており、
前記払出し制御手段は、前記プリペイドカードユニットが未接続の場合には、前記球発射装置に遊技球の発射を停止させるための信号を出力して前記遊技球の発射を規制する請求項１に記載のパチンコ遊技機。
【発明の詳細な説明】
【０００１】
【発明の属する技術分野】
本発明は、例えば、払出された賞球が上球皿や下球皿において満杯状態であることを検知するため満杯検出手段を備えたパチンコ遊技機に関するものである。
【０００２】
【従来の技術】
従来からパチンコ遊技機では、遊技盤の遊技領域内に、例えば、始動入賞口や大入賞口と言われる各入賞口が設けられている。そして、打球発射装置を使用して遊技盤内に打球された遊技球が前記各入賞口に入賞すると、当該入賞口に応じた賞球（少数個又は多数個）が機裏側に装備されている球払出装置の駆動に基づき払い出されるようになっている。また、払い出された賞球（遊技球）は、機裏側に設けられている各種球通路（賞球通路あるいは溢れ玉通路）により上球皿あるいは下球皿に案内されるようになっている。
【０００３】
そして、前記上球皿及び下球皿が払い出された前記賞球により満杯状態になると、前記球払出装置から払い出された賞球が、前記下球皿に連通される前記球通路内（溢れ球通路内）で徐々に貯留されるようになっている。
【０００４】
そのため、パチンコ遊技機では、前記球通路に満杯検知手段が配設されており、当該球通路内に貯留された賞球が所定量に達したことが検知されると、前記球払出装置の払出し駆動を停止させると共に、前記打球発射装置の発射駆動を停止させるようになっている。その結果、前記球通路には所定量以上の賞球（遊技球）が貯留されることなく、球詰まりなどのトラブルを抑制すると共に、遊技者に対し下球皿に貯まった賞球の排出を促すようになっている。
【０００５】
【発明が解決しようとする課題】
ところが、前記満杯検知手段の検知結果に基づき前記打球発射装置の発射駆動が停止したとしても、遊技者は上球皿及び下球皿が満杯状態であることを直ちに把握できず、遊技盤内に遊技球が打球されない理由の特定が困難であった。
【０００６】
また、特に特別遊技状態時（所謂、大当たり状態時）には、賞球が大量に払出されることから前記上球皿及び下球皿が満杯状態となりやすく、前記打球発射装置の発射駆動が停止する可能性も高くなっている。そのため、特別遊技状態時に遊技盤内への打球が停止してしまうと、大入賞口に遊技球が１個も入賞せず特別遊技状態の権利を喪失したり、入賞個数の減少による獲得賞球数の減少など、遊技者にとって不利益な状況になるという問題があった。
【０００７】
この発明は、このような従来の技術に存在する問題点に着目してなされたものであり、その目的は、遊技者側に不利益な状況となることなくパチンコ遊技を行うことができるパチンコ遊技機を提供することにある。
【０００８】
【課題を解決するための手段】
上記問題点を解決するために、本発明は、入賞口への遊技球の入賞を検知して入賞信号を出力する入賞検知手段と、前記入賞検知手段が出力した入賞信号に基づき球払出装置を制御して賞球としての遊技球を払出させる制御手段を備え、遊技機に接続されるプリペイドカードユニットからの信号に基づき前記球払出装置により貸し球としての遊技球を払出すパチンコ遊技機において、前記制御手段は、前記プリペイドカードユニットが接続されている場合であって、前記球払出装置の下流側通路内が所定の満杯状態であるか否かを検知する満杯検知手段が所定の満杯状態であることを検知した場合には、前記球払出装置を払出し停止状態に制御するとともに所定の報知装置を満杯報知状態に制御する一方で、球発射装置による遊技球の発射を許容し、前記プリペイドカードユニットが未接続の場合には、前記球発射装置による遊技球の発射を規制するようになっており、前記報知装置は、大入賞口を開放させるラウンド遊技が複数回行われる大当り遊技時に大当り遊技用の遊技演出として音声出力による音声演出を実行する音声演出装置であり、１回のラウンド遊技は、前記大入賞口を開放することにより開始されるとともに、前記大入賞口を開放させてから規定時間が経過した場合、又は規定個数の遊技球が前記大入賞口に入球した場合に、前記大入賞口を閉鎖することにより終了され、前記制御手段は、前記大当り遊技時に大入賞口の開放動作を制御し、前記ラウンド遊技の途中で満杯検知手段が所定の満杯状態であることを検知した場合には、前記音声演出装置に実行させている大当り遊技用の遊技演出を満杯報知に変更して前記満杯報知状態に制御する一方で、前記満杯報知状態に制御している場合であって、前記ラウンド遊技の途中で満杯検知手段が所定の満杯状態であることを検知しなくなった場合には、前記音声演出装置に満杯報知を停止させ、当該満杯報知を停止させたラウンド遊技が終了する迄の間、前記音声出力が停止された無音状態に制御するとともに、前記満杯検知手段が所定の満杯状態であることを検知しなくなったラウンド遊技の終了後、前記音声演出装置に大当り遊技用の遊技演出を開始させるようになっている。
【００１０】
また、前記制御手段には、前記球払出装置を制御する払出し制御手段と、前記報知装置としての前記音声演出装置を制御する報知制御手段と、前記払出し制御手段及び前記報知制御手段を含むサブ制御手段群に対して遊技機における遊技状態制御のために各種の制御信号を出力するメイン制御手段とを含み、前記メイン制御手段は、前記満杯検知手段からの満杯検知信号の入力に基づき、前記払出し制御手段が球払出装置を払出し停止状態に制御するための信号と、前記報知制御手段が前記報知装置としての前記音声演出装置を満杯報知状態に制御するための信号を出力するようになっており、前記払出し制御手段は、前記プリペイドカードユニットが未接続の場合には、前記球発射装置に遊技球の発射を停止させるための信号を出力して前記遊技球の発射を規制するようになっている。
【００１１】
【発明の実施の形態】
以下、本発明におけるパチンコ遊技機（以下、「遊技機」という。）を具体化した一実施形態を図１〜図６に基づき詳細に説明する。
【００１２】
最初に、図１〜図４を用いて本実施形態における遊技機の基本的構成と遊技機の各種制御を行う各種制御基板について詳細に説明する。
図１に略示するように、遊技機１０において機体の外郭をなす外枠１１の開口前面側には、各種の遊技用構成部材をセットする縦長方形の中枠１２が開閉及び着脱可能に組み付けられている。また、前記中枠１２の前面側には、機内部の遊技盤１３を透視保護するための前枠１４と上球皿１５が共に横開き状態で開閉可能に組付け整合されている。そして、前記上球皿１５の両側方には、各種遊技状態（大当たり、リーチ、図柄変動、エラーなど）に応じて各種音声（効果音、エラー音など）が出力される報知装置としてのスピーカ１６が機内部に内装された状態で設けられている。また、前記前枠１４の周囲前面側には、遊技機の各種遊技状態に応じて点灯（点滅）・消灯を行う報知装置としての電飾表示部１７が設けられている。さらに、前記前枠１４の上部中央には、賞球が払出される毎に当該払出し状態を遊技機１０上で発光表示するランプ（発光体）で構成された賞球ＬＥＤ１８が設けられている。
【００１３】
また、前記中枠１２の下部には下球皿１９、球発射装置２０等が装着されている。そして、前記下球皿１９の前面側には、下球皿１９に貯った賞球を図示しない賞球貯留箱に排出するための賞球排出レバー１９ａが設けられている。従って、前記賞球排出レバー１９ａが遊技者によって操作されると（例えば、図１において左側にスライド移動されると）、前記下球皿１９の底部に形成された排出口が開放し、前記下球皿１９に貯まった賞球の排出が行えるようになっている。
【００１４】
また、前記遊技盤１３の前面略中央には、複数列（本実施形態では３列）の図柄による図柄組み合せゲームが行われる特別図柄表示装置２１が各図柄を表示するための表示ユニット２２を備えて配設されている。そして、前記特別図柄表示装置２１の下方には始動入賞口２３が配設され、前記始動入賞口２３の奥方には、当該入賞口２３に入賞した遊技球を検知するための入賞検知手段としての始動口スイッチＳＷ１が配設されている（図４に示す）。
【００１５】
さらに、前記始動入賞口２３の下方には、大入賞口２４が配設されている。そして、前記大入賞口２４は前記特別図柄表示装置２１における図柄組み合せゲームの結果、前記表示ユニット２２上に各列の図柄が同一図柄で一致した図柄パターンが表示されると、図４に示す大入賞口ソレノイドＳＯＬ１の励磁作用により開放・閉鎖動作が行われるようになっている。なお、大入賞口２４の開放動作は、例えば、開放から３０秒経過するまで、あるいは、規定入賞個数（一般には１０個）の遊技球が大入賞口２４に入賞するまで開放するようになっており、この開放動作は最大、規定開放回数の上限値（一般には１６回）まで繰り返されるようになっている。そして、前記大入賞口２４の奥方には、入賞した遊技球を検知し入賞個数をカウントするためのカウントスイッチＳＷ２及び特定入賞（所謂Ｖ入賞）を検知するための特定通過カウントスイッチＳＷ３が配設されている（共に図４に示す。）なお、本実施形態では、前記カウントスイッチＳＷ２及び特定通過カウントスイッチＳＷ３が入賞検知手段に相当している。
【００１６】
また、前記特別図柄表示装置２１及び大入賞口２４の両側方には、遊技球の入賞により所定個数の賞球が払い出される第１〜第４入賞口２５〜２８が配設されている。そして、前記各入賞口２５〜２８の奥方には、入賞した遊技球を検知するための入賞検知手段としての入賞口スイッチＳＷ４〜ＳＷ７が配設されている（図４に示す）。なお、各入賞口２３〜２８に配設された各スイッチＳＷ１〜ＳＷ７は、電磁式あるいは機械式の何れのスイッチであっても良い。
【００１７】
一方、図２には遊技機１０の機裏側が示されており、前記中枠１２の裏側には各種球通路及び処理部等を備えた機構セット盤２９が着脱自在にセットされており、この機構セット盤２９では前記遊技盤１３の裏側と対応する位置に保護カバー３０が開閉可能にセットされている。そして、前記保護カバー３０内には、遊技場の電源ＡＣ（２４Ｖ）が供給される電源基板３１と、遊技機１０に配設された各種表示部材、即ち、電飾表示部１７、賞球ＬＥＤ１８の点灯（点滅）・消灯を制御するためのランプ制御基板３２が配設されている。なお、本実施形態では、前記ランプ制御基板３２が電飾表示部１７を制御する際に報知制御手段となる。また、前記保護カバー３０内には、前記特別図柄表示装置２１の図柄組み合せゲームを制御するための図４に示す特別図柄表示基板３３が配設されている。
【００１８】
そして、前記保護カバー３０の周囲には、球タンク３４から整流樋３５を介して貯留球が流下供給される供給経路部３６が前記保護カバー３０の右方領域に上下方向へ延設されている。また、前記供給経路部３６の下流端には球払出装置としての賞球払出装置３７が前記機構セット盤２９に対し着脱可能にビス等で取着セットされている。そして、前記賞球払出装置３７は、周知のとおり賞球用の遊技球の有無を検出するための賞球制御センサ３７ａ、賞球を１個毎に順次払出すための賞球ソレノイド３７ｂ及び賞球の払出しを検出するための賞球計数センサ３７ｃを備えて構成されている（図４に示す。）。なお、前記賞球払出装置３７は、貸し球を払い出すための貸し球払出装置としても機能している。そして、前記賞球払出装置３７の下方には、賞球払出装置３７から賞球（貸し球）として払出された遊技球を前記上球皿１５へ案内するための賞球通路３８が延設されている。
【００１９】
ここで、図３に基づき前記機構セット盤２９に設けられた前記賞球通路３８などの各種球通路の構成及び前記賞球払出装置３７から払い出された賞球（貸し球）を上球皿１５あるいは下球皿１９へ排出するための各構成について説明する。
【００２０】
前記賞球通路３８の最下流部には、前記賞球払出装置３７から払出された賞球としての遊技球を前記上球皿１５へ排出するための上球皿排出口３９と溢れ球Ｂとなった遊技球を前記下球皿１９へ排出するための下球皿排出口４０が図３において左右方向に並設されている。そして、両排出口３９，４０の分岐点には、各排出口３９，４０に遊技球を案内するための球受け部材４１が前記機構セット盤２９に対しビス等により取着されている。
【００２１】
また、前記球受け部材４１は、前記上球皿１５へ遊技球を案内する賞球案内面４１ａを挟持するように左右規制壁４１ｂ，４１ｃが立設され、前記右規制壁４１ｃの右側方（図３において）には溢れ球案内面４１ｄを備えた形態で一体形成されている。そして、右規制壁４１ｃは、通常の遊技中においては、払い出された遊技球が賞球案内面４１ａから前記上球皿排出口３９に案内されるように、両排出口３９，４０を分岐する役割をしている。また、大当たり遊技中においては、払い出された遊技球が上球皿１５で満杯状態となり溢れ出すのを防ぐために、賞球案内面４１ａ上に積み上げられた遊技球を溢れ球Ｂとして右規制壁４１ｃを乗り越えさせ、溢れ球案内面４１ｄから下球皿排出口４０に案内するようになっている。そして、前記下球皿排出口４０の下流側には同排出口４０を通過した溢れ球Ｂを前記下球皿１９へ案内するための溢れ球通路４２が設けられている。なお、前記溢れ球通路４２は、前記賞球払出装置３７の下流側通路に相当している。
【００２２】
また、前記溢れ球通路４２の側壁（図３において左側の側壁）には、前記溢れ球通路４２内が所定の満杯状態、即ち、前記下球皿１９から排出されず前記溢れ球通路４２内に貯留された賞球（溢れ球Ｂ）が所定量に達したか否かを検知するための満杯検知手段Ｆが配設されている。ここで、満杯検知手段Ｆの構成について説明すると、前記満杯検知手段Ｆは満杯検知レバー４３及び満杯スイッチＳＷ８で構成されている。そして、図５に示すように、前記満杯検知レバー４３の本体部４３ａは前記溢れ球通路４２の側壁の一部を構成していると共に、その基端側において支軸４３ｂを中心として左右方向（図３又は図５において）に揺動自在となっている。また、前記本体部４３ａには、前記満杯スイッチＳＷ８と対向する位置に突起４３ｃが設けられている。一方、前記満杯スイッチＳＷ８は、所謂機械式スイッチとなっており、図５に示すように、スイッチ本体４４にはバネ４４ａに支持された可動片４４ｂが収納されており、同可動片４４ｂは前記バネ４４ａの弾性力により前記スイッチ本体４４から出没自在となっている。従って、満杯検知レバー４３の揺動動作に基づき前記突起４３ｃにより前記可動片４４ｂが押下されると、前記満杯スイッチＳＷ８からは後述する主基板４５に対し満杯検知信号が出力されるようになっている。
【００２３】
そして、図２に示すように前記保護カバー３０の下方、即ち、機構セット盤２９の下部外側には遊技機１０における遊技状態を制御するためのメイン制御手段としての主基板４５及び前記賞球払出装置３７を駆動させて賞球の払出しを制御するための払出し制御手段としての払出し制御基板４６がそれぞれ横開き形態で開閉可能に支持されている。また、前記主基板４５の下方には、遊技機１０に装着された球発射装置２０の発射駆動を制御するための発射制御手段としての発射制御基板４７が配設されている。さらに、前記払出し制御基板４６の下方には、遊技機１０に装着された前記スピーカ１６から発せられる各種音声を制御するための報知制御手段としての音声制御基板４８が配設されている。
【００２４】
そして、本実施形態では、サブ化された前記払出し制御基板４６、音声制御基板４８及びランプ制御基板３２によりサブ制御手段群が構成されている。なお、前記サブ制御手段とは、主基板４５から入力した信号、あるいは、前記主基板４５とは独立して前記遊技機１０の各種構成部材（例えば、電飾表示部１７、スピーカ１６や球発射装置２０）の制御を行うための制御手段である。従って、前記各基板３２，４６，４８に限らず、例えば、特別図柄表示装置２１を制御する特別図柄表示基板３３（図４に示す）や図示しない普通図柄表示基板なども前記サブ制御手段群を構成するサブ制御手段となっている。
【００２５】
次に、本実施形態の遊技機１０における各構成部材と各種基板の接続態様を図４に基づき説明する。
まず、遊技場の電源ＡＣは、前記電源基板３１に接続されたランプ制御基板３２、特別図柄表示基板３３、主基板４５、払出し制御基板４６、発射制御基板４７及び音声制御基板４８に供給されており、当該基板３２，３３，４５〜４８を介して遊技機１０を構成する各構成部材に電源が供給されるようになっている。
【００２６】
そして、前記主基板４５には、遊技機１０の遊技状態を制御するためのＣＰＵ４５ａが備えられており、同ＣＰＵ４５ａには遊技状態の制御に必要な各種制御情報が記憶されたＲＯＭ４５ｂ及び遊技状態に応じて逐次変更される制御情報が記憶されるＲＡＭ４５ｃが接続されている。なお、前記制御情報としてＲＯＭ４５ｂには、各種遊技プログラム（大当たり、リーチ、表示図柄などに関する各種乱数を含む）が記憶されている。また、ＲＯＭ４５ｂには、主基板４５に接続された各入賞口２３〜２８における各スイッチＳＷ１〜ＳＷ７が出力する入賞信号に各別に対応する賞球数が記憶されている。さらに、ＲＯＭ４５ｂには、前記払出し制御基板４６に出力される前記各賞球数に各別に対応する制御信号（賞球制御信号）、ランプ制御基板３２や特別図柄表示基板３３などの各種基板に出力される各種制御信号が記憶されている。
【００２７】
なお、本実施形態では、賞球数として前記始動入賞口２３及び各入賞口２５，２６，２８については１個の入賞に対し賞球を５個、第３入賞口２７については１個の入賞に対し賞球を１０個、大入賞口２４については１個の入賞に対し賞球を１５個払出すように設定されている。また、前記制御情報としてＲＡＭ４５ｃには、前記各スイッチＳＷ１〜ＳＷ７から入力される各入賞信号毎に対応した賞球数が合算された主基板用賞球総数が記憶（管理）されている。そして、前記ＣＰＵ４５ａは前記各入賞信号に基づきＲＯＭ４５ｂに記憶された賞球数を読み出し、当該賞球数をＲＡＭ４５ｃに記憶される主基板用賞球総数に逐次加算することで新たな主基板用賞球総数としてＲＡＭ４５ｃに書き換えるようになっている。
【００２８】
また、前記主基板４５には、特別図柄表示装置２１を構成する特別図柄表示基板３３を介して表示ユニット２２が接続されており、前記ＣＰＵ４５ａは前記ＲＡＭ４５ｃに記憶された各種乱数の値に基づき前記特別図柄表示基板３３に対し図柄組み合せゲームに関する制御信号を出力するようになっている。また、前記主基板４５にはランプ制御基板３２が接続されており、前記ＣＰＵ４５ａは各入賞信号及び図柄組み合せゲームの内容などに基づきランプ制御基板３２に対し遊技機１０に配設された各種表示部材を制御するための制御信号を出力するようになっている。また、前記ＣＰＵ４５ａは満杯検知手段Ｆから出力された満杯検知信号を入力すると、前記ランプ制御基板３２に対して電飾表示部１７を制御するための制御信号を出力するようになっている。
【００２９】
そして、前記ランプ制御基板３２には、ランプ表示基板４９を介して電飾表示部１７が、賞球ＬＥＤ基板５０を介して賞球ＬＥＤ１８が接続されている。従って、ランプ制御基板３２はＣＰＵ４５ａから出力された各種制御信号を入力すると、前記各基板４９，５０を介して各種表示部材の点灯（点滅）・消灯を制御するようになっている。
【００３０】
また、前記主基板４５には音声制御基板４８を介してスピーカ１６が接続されている。そして、前記ＣＰＵ４５ａは前記特別図柄表示装置２１における図柄組み合せゲームの内容や満杯検知手段Ｆから出力された満杯検知信号などに基づき音声制御基板４８に対しスピーカ１６における音声出力を制御するための制御信号を出力するようになっている。また、前記主基板４５には、大入賞口２４の開閉動作を行うための大入賞口ソレノイドＳＯＬ１が接続されている。そして、前記ＣＰＵ４５ａは図柄組み合せゲームの内容に基づき前記大入賞口ソレノイドＳＯＬ１を制御するための制御信号を出力するようになっている。
【００３１】
また、前記主基板４５には前記賞球制御信号に基づき賞球の払出しを制御するための払出し制御基板４６が接続されると共に、前記両基板４５，４６には賞球を払出すための賞球払出装置３７が接続されている。そして、前記主基板４５（ＣＰＵ４５ａ）は前記各スイッチＳＷ１〜ＳＷ７からの入賞信号を入力する毎に、当該入賞信号と各別に対応する賞球数に基づく前記賞球制御信号をＲＯＭ４５ｂから読み出し、当該賞球制御信号を払出し制御基板４６に対し出力するようになっている。さらに、前記ＣＰＵ４５ａは満杯検知手段Ｆから出力された満杯検知信号を入力すると、前記払出し制御基板４６に対して賞球払出装置３７の払出し駆動を制御するための制御信号を出力するようになっている。
【００３２】
また、主基板４５には賞球払出装置３７を構成する前記賞球計数センサ３７ｃが賞球を払出す毎に（本実施形態では１個払出す毎に）出力する制御信号（ＯＮ信号（賞球払出し信号）／ＯＦＦ信号）が入力されるようになっている。そして、前記主基板４５のＣＰＵ４５ａは、前記賞球計数センサ３７ｃから入力した賞球払出し信号を入力することで前記ＲＡＭ４５ｃに記憶された主基板用賞球総数の値を減算（−１）し書き換えるようになっている。
【００３３】
一方、前記払出し制御基板４６には、主基板４５からの制御信号（賞球制御信号）に基づき前記賞球払出装置３７の駆動、即ち、賞球の払出しを制御するためのＣＰＵ４６ａが設けられている。また、前記ＣＰＵ４６ａには前記賞球払出装置３７を駆動させるための制御情報（制御プログラム）が記憶されたＲＯＭ４６ｂと、賞球の払出し状態に基づき逐次変更される制御情報が記憶されるＲＡＭ４６ｃが接続されている。そして、前記制御情報としてＲＡＭ４６ｃには、前記主基板４５から入力された賞球制御信号に対応した賞球数を逐次加算し、前記賞球払出装置３７の駆動制御回数に対応する賞球数を各入賞信号毎の賞球数が合算された払出し制御基板用賞球総数として記憶（管理）されている。
【００３４】
そして、前記払出し制御基板４６と前記賞球払出装置３７は双方向に信号の入出力が可能となっており、前記払出し制御基板４６からは賞球払出装置３７に対し賞球の払出しを制御するための制御信号が出力されるようになっている。また、前記賞球払出装置３７からは前記払出し制御基板４６に対し前記賞球制御センサ３７ａ及び賞球計数センサ３７ｃからの制御信号が出力されるようになっている。なお、賞球制御センサ３７ａから出力される制御信号は賞球用の遊技球の有無を検出したことを示す信号（ＯＮ信号（有）／ＯＦＦ信号（無））である。従って、本実施形態では、主基板４５及び払出し制御基板４６に設けられた各ＲＡＭ４５ｃ，４６ｃにおいて各入賞信号毎の賞球数が合算された主基板用／払出し制御基板用賞球総数が各別に記憶（管理）されている。そして、前記主基板４５と払出し制御基板４６で管理された前記両賞球総数は、前記賞球計数センサ３７ｃからの賞球払出し信号に基づき減算され、通常、両賞球総数は一致するようになっている。
【００３５】
次に、このように構成された遊技機１０における基本的な賞球の払出し態様を始動入賞口２３に遊技球が入賞した場合を例として、図４に基づき説明する。
まず、遊技者により球発射装置２０が回動操作されると（図１において時計回りに回動されると）、前記発射制御基板４７は、前記球発射装置２０に対し遊技球の発射駆動を制御するための制御信号を出力し、前記球発射装置２０では遊技球を遊技盤１３に打球する。即ち、前記発射制御基板４７は、球発射装置２０の発射駆動に際して主基板４５とは独立して制御を行うようになっている。なお、前記発射制御基板４７は、遊技機１０に対しプリペイドカードユニットが未接続の場合に限り、払出し制御基板４６から出力された発射停止信号に基づき球発射装置２０の発射駆動を停止するようになっている。従って、前記発射制御基板４７はプリペイドカードユニットが正常に接続されている場合、球発射装置２０の発射駆動を停止しないようになっている。そして、打球された遊技球が前記始動入賞口２３へ入賞すると、前記始動口スイッチＳＷ１からは主基板４５に対し入賞信号が出力される。その結果、主基板４５では当該入賞信号の入力に基づき、前記ＣＰＵ４５ａが入賞信号に対応する賞球数（５個）をＲＯＭ４５ｂから読み出すと共に、ＲＡＭ４５ｃに記憶されている主基板用賞球総数に前記賞球数を加算して新たな主基板用賞球総数として記憶する。
【００３６】
また、前記ＣＰＵ４５ａは読み出した賞球数に対応する賞球制御信号をＲＯＭ４５ｂから読み出すと共に、前記払出し制御基板４６に対し賞球制御信号を出力する。さらに、前記ＣＰＵ４５ａは入賞信号に基づきＲＯＭ４５ｂに記憶されている各種乱数の値を抽出し、図柄組み合せゲームに関する制御信号を特別図柄表示基板３３に出力する。そして、前記特別図柄表示基板３３では入力した制御信号に基づき表示ユニット２２上で図柄組み合せゲームが行われるようになっている。
【００３７】
また、ＣＰＵ４５ａからは、ランプ制御基板３２及び音声制御基板４８に対し図柄組み合せゲームの内容に基づく各種表示部材及び音声出力を制御するための制御信号が出力される。そして、前記ランプ制御基板３２ではランプ表示基板４９を介して電飾表示部１７の制御を行うと共に、前記音声制御基板４８ではスピーカ１６を介して効果音が出力される。
【００３８】
一方、賞球制御信号を入力した払出し制御基板４６では、前記ＣＰＵ４６ａが当該賞球制御信号に対応する賞球数をＲＡＭ４６ｃに記憶した払出し制御基板用賞球総数に加算し、新たな払出し制御基板用賞球総数として記憶する。そして、ＣＰＵ４６ａは、前記賞球制御センサ３７ａ及び賞球計数センサ３７ｃから所定の制御信号（払出しができる状態を示す信号）を入力すると、払出し制御基板用賞球総数に基づき前記賞球払出装置３７（賞球ソレノイド３７ｂ）を駆動させるための制御信号を賞球払出装置３７に対し出力する。すると、前記賞球払出装置３７では、入力した制御信号に基づき賞球ソレノイド３７ｂがＯＮ（励磁）されることで、１個の賞球が払い出されるようになっている。このとき、賞球の払出しを検知した前記賞球計数センサ３７ｃからは、主基板４５及び払出し制御基板４６に対し賞球払出し信号（ＯＮ信号）が出力されるようになっている。
【００３９】
そして、当該賞球払出し信号を入力した前記両基板４５，４６では、各ＣＰＵ４５ａ，４６ａがＲＡＭ４５ｃ，４６ｃに記憶した主基板用／払出し基板用賞球総数の値を減算（−１）すると共に、新たな主基板用／払出し基板用賞球総数としてＲＡＭ４５ｃ，４６ｃに記憶する。また、前記主基板４５では前記賞球払出し信号が入力されると、前記ランプ制御基板３２に対し賞球ＬＥＤ１８を制御するための制御信号が出力され、当該制御信号に基づき前記ランプ制御基板３２は賞球ＬＥＤ基板５０を介して賞球ＬＥＤ１８の制御を行うようになっている。そして、払出し制御基板４６では、ＣＰＵ４６ａが残りの賞球を払出すために前述と同様に賞球制御センサ３７ａ及び賞球計数センサ３７ｃからの所定の制御信号に基づき、賞球払出装置３７を駆動させるための制御信号を出力する。
【００４０】
次に、前記賞球払出装置３７の払出し駆動に基づき払い出された賞球が上球皿１５又は下球皿１９に排出される態様、及び、満杯検知手段Ｆが満杯状態を検知した場合の制御態様について図３〜図６に基づき説明する。なお、以下の説明では、満杯状態が検知されやすい特別遊技状態時（所謂、大当たり状態時）を例として説明する。
【００４１】
まず、前記特別図柄表示装置２１における図柄組み合わせゲームの結果、大当たり状態になると、前記主基板４５のＣＰＵ４５ａは大入賞口２４の開閉動作を制御するための制御信号を前記大入賞口ソレノイドＳＯＬ１に出力する。従って、前記大入賞口２４は、前記制御信号に基づき開閉動作が行われ、前記遊技盤１３に打球された遊技球の入賞が可能とされる。また、前記ＣＰＵ４５ａ及びＣＰＵ４６ａでは、前記カウントスイッチＳＷ２及び特定通過カウントスイッチＳＷ３から出力された各入賞信号に基づき、前述した賞球の払出し態様に従って賞球の払出しを行うようになっている。そして、前記賞球払出装置３７から払出された賞球は、前記賞球通路３８を通過して前記球受け部材４１の賞球案内面４１ａに向かって落下すると共に、同案内面４１ａにより上球皿排出口３９に案内され前記上球皿１５に排出される。このとき、前記上球皿１５が賞球により満杯状態になっていると、図３に示すように、前記賞球案内面４１ａ上において賞球が順次積み重なっていくようになる。そのため、前記右規制壁４１ｃの上面まで賞球が積み重なると、当該賞球は溢れ球Ｂとなって前記右規制壁４１ｃを乗り越えると共に、溢れ球案内面４１ｄにより下球皿排出口４０を介して前記溢れ球通路４２に案内される。そして、前記溢れ球通路４２に案内された溢れ球Ｂ（賞球）は、当該溢れ球通路４２を通過し前記下球皿１９に排出される。
【００４２】
このとき、賞球排出レバー１９ａの操作などにより下球皿１９に排出された賞球が賞球貯留箱などに排出されない場合、大当たり状態時には順次大量の賞球が払い出されることから前記下球皿１９も賞球により満杯状態となる。そのため、前記賞球払出装置３７から払い出された賞球は、図３に示すように、前記溢れ球通路４２内において順次貯留されるようになっていく。
【００４３】
そして、図５（ｂ）に示すように、前記溢れ球通路４２内に貯留された賞球が所定量に達すると、当該賞球により前記満杯検知レバー４３が押圧された状態となり、前記満杯検知手段Ｆは前記主基板４５に対し満杯検知信号を出力する。即ち、前記満杯検知レバー４３は、前記支軸４３ｂを中心として時計回り方向（図５において）に揺動動作することで、前記満杯スイッチＳＷ８を構成する可動片４４ｂを前記突起４３ｃにより押下するようになっている。そして、前記満杯スイッチＳＷ８は、前記可動片４４ｂが前記バネ４４ａの弾性力に抗して前記スイッチ本体４４内で動作（図５において左方向）することで前記満杯検知信号を出力する。
【００４４】
一方、前記主基板４５（ＣＰＵ４５ａ）では、前記満杯スイッチＳＷ８が出力した満杯検知信号を入力すると（図６（ａ）に示す満杯スイッチオンの検出状態）、前記スピーカ１６、電飾表示部１７及び賞球払出装置３７が満杯状態に基づく制御を行うための制御信号を前記ＲＯＭ４５ｂから読み出す。そして、前記ＣＰＵ４５ａは、前記ランプ制御基板３２，払出し制御基板４６及び音声制御基板４８に対しＲＯＭ４５ｂから読み出した前記制御信号を出力する。
【００４５】
即ち、図６に示すように、前記ランプ制御基板３２に対し前記ＣＰＵ４５ａは、電飾表示部１７を消灯させるための消灯コマンドを、前記払出し制御基板４６に対し賞球払出装置３７の払出し駆動を停止させるための払出し停止コマンドを、音声制御基板４８に対しスピーカ１６からエラー音を出力するためのエラー音コマンドを出力する。なお、前記ＣＰＵ４５ａは、満杯状態を検出してから所定時間後（例えば、１秒後）に前記各基板３２，４６，４８に対し前記各制御信号（各コマンド）を出力するようになっている。
【００４６】
そして、前記各基板３２，４６，４８では入力した前記各制御信号に基づいて図６に示す制御を行うようになっている。即ち、前記ランプ制御基板３２では、前記消灯コマンドに基づき前記ランプ表示基板４９を介して電飾表示部１７を消灯させる（図６（ｂ））。従って、大当たり遊技中に、遊技者に与える遊技効果として点灯あるいは点滅が行われている前記電飾表示部１７を消灯することで、遊技者に対し満杯報知が行われるようになっている。
【００４７】
また、前記音声制御基板４８では、前記エラー音コマンドに基づき前記スピーカ１６を介してエラー音を出力させる（図６（ｃ））。従って、大当たり遊技中に、遊技者に与える遊技効果として出力される音声をエラー音に変更することで、遊技者に対し満杯報知が行われるようになっている。さらに、前記払出し制御基板４６では、前記払出し停止コマンドに基づき前記賞球払出装置３７による賞球の払出し駆動を停止させる（図６（ｄ））。従って、満杯状態の検出後に前記溢れ球通路４２内における賞球の貯留量が増加することなく、各種球通路における球詰まりや賞球払出装置３７の故障などを回避させるようになっている。
【００４８】
また、主基板４５では、前記満杯検知手段Ｆから満杯検知信号が入力されても、当該信号とは無関係に前記発射制御基板４７が球発射装置２０を球発射状態に制御することを許容するようになっている。即ち、満杯状態であっても前記球発射装置２０の発射駆動が停止することなく、遊技盤１３に対し遊技球が継続して打球されるようになっている。そして、打球された遊技球が前記各入賞口２３〜２８に入賞すると、前記主基板４５は当該入賞信号に基づき主基板用賞球総数を書き換えると共に、前記払出し制御基板４６では主基板４５が出力した賞球制御信号に基づき払出し制御基板用賞球総数を書き換えるようになっている。そのため、満杯状態が解除された後、前記払出し制御基板４６では前記払出し制御基板用賞球総数の記憶値に基づいて正確な賞球の払出しができるようになっている。
【００４９】
次に、満杯状態が解除された場合（即ち、主基板４５に対し満杯検知信号の入力がされない状態となった場合）における制御態様を説明する。即ち、下球皿１９に貯まった賞球の排出が行われると、前記溢れ球通路４２内に貯留されていた賞球は、順次、当該通路４２を通過して前記下球皿１９に案内される。そして、賞球による前記満杯検知レバー４３の押圧状態が解除されると、当該レバー４３は前記満杯スイッチＳＷ８を構成するバネ４４ａの弾性力に基づく前記可動片４４ｂの移動動作に基づき前記支軸４３ｂを中心として反時計回り方向（図５において）に揺動動作する。そのため、前記満杯スイッチＳＷ８からは、前記主基板４５に対し満杯検知信号が出力されないようになる。
【００５０】
そして、主基板４５では、前記満杯検知信号の入力がないことを検出すると（図６（ａ）に示す満杯スイッチオフの検出状態）、前記各基板３２，４６，４８に対し所定のタイミングで各種制御信号を出力するようになっている。即ち、前記主基板４５は前記ランプ制御基板３２に対し、所定の大当たり遊技状態に応じて前記電飾表示部１７の制御（遊技効果を与えるための点灯や点滅）を行うための制御信号を出力するようになっている。また、前記主基板４５は前記音声制御基板４８に対し、スピーカ１６からのエラー音出力を停止させる無音コマンドを出力した後（図６（ｃ））、所定の大当たり遊技状態に応じて前記スピーカ１６の制御（遊技効果を与えるための音声出力）を行うための制御信号を出力するようになっている。なお、前記音声制御基板４８では、入力した前記無音コマンドに基づき前記スピーカ１６からのエラー音出力を停止させる。
【００５１】
即ち、前記主基板４５では満杯状態が解除された後、直ちに電飾表示部１７の点灯や点滅、あるいは、スピーカ１６からの音声出力を行わないようになっている。つまり、大当たり状態時において前記大入賞口２４は、所定時間が経過する間、あるいは、規定入賞個数の遊技球が入賞する間を区切りとした開放動作（所謂、ラウンド）が行われている。そして、ラウンドの途中において満杯状態の解除を検出しても、直ちに当該ラウンドに応じた前記電飾表示部１７及びスピーカ１６の制御が困難となっている。そのため、前記主基板４５は満杯状態が解除されたラウンドの遊技が終了した後（所定の大当たり遊技状態）、前記ランプ制御基板３２及び音声制御基板４８に対し前記制御信号を出力するようになっている。従って、図６（ｂ）及び図６（ｃ）に示すように、満杯スイッチＳＷ８のオフ検出後、次のラウンドが開始するまでの間、前記電飾表示部１７は消灯状態であると共に、前記スピーカ１６は無音状態となっている。
【００５２】
これに対し、前記主基板４５は前記払出し制御基板４６に対し、図６（ｄ）に示すように、満杯スイッチＳＷ８のオフ検出後、直ちに前記賞球払出装置３７の払出し駆動を開始（再開）させるための払出し停止解除コマンドを出力するようになっている。そして、前記払出し制御基板４６では、前記払出し停止解除コマンドに基づき前記賞球払出装置３７に対し賞球の払出しを制御するための制御信号（払出し駆動に関する制御信号）を出力し、前記賞球払出装置３７の払出し駆動に基づき賞球の払出しが行なわれるようになっている。
【００５３】
従って、本実施形態では、上記のようにパチンコ遊技機１０を構成したことにより、次のような効果を得ることができる。
（１）  前記主基板４５に対し満杯検知信号が入力されても、前記球発射装置２０の発射駆動が停止しないようになっている。そのため、例えば、大当たり状態時において遊技盤１３内に遊技球が打球されないことによる大入賞口２４への入賞個数の減少に伴う賞球獲得個数の減少、あるいは、大入賞口２４へ遊技球が入賞せず大当たり状態の権利を喪失してしまうことを抑制することができる。従って、遊技者は不利益な状況となることなくパチンコ遊技を継続して行うことができる。
【００５４】
（２）  前記主基板４５に対し満杯検知信号が入力されると、ランプ制御基板３２はランプ表示基板４９を介して電飾表示部１７を消灯させるので、遊技者及びホールスタッフ（遊技店店員）は一目で満杯状態を知ることができる。また、音声制御基板４８を介してスピーカ１６からエラー音を出力する。従って、遊技者及びホールスタッフは遊技中に聞く音とは違うスピーカ１６からのエラー音により容易に満杯状態を知ることができる。また、払出し制御基板４６を介して賞球払出装置３７からの賞球の払出しが停止するようになっている。そのため、満杯状態であるにもかかわらず賞球が払出され、賞球通路３８の上流側まで遊技球が貯まることによる賞球払出装置３７の停止及び賞球払出装置３７の故障を抑制することができる。
【００５５】
（３）  前記払出し制御基板４６は、前記主基板４５が出力した賞球制御信号に基づき賞球の払出しに関する制御を行うようになっている。そのため、賞球の払出しに関する制御を主基板４５主導で行うことができる。
【００５６】
（４）  主基板４５において入賞信号に対応する賞球数における賞球制御信号を払出し制御基板４６に出力している。そのため、機種変更により賞球数が変更された場合でも払出し制御基板４６の制御プログラムを変更することなく、主基板４５の変更のみで対応することができる。
【００５７】
（５）  賞球払出装置３７が１個賞球を払出す毎（賞球計数センサ３７ｃのＯＮ信号毎）に主基板用／払出し制御基板用賞球総数が１個ずつ減算されるようになっている。そのため、リアルタイムに賞球総数の管理を行うことができ、賞球の払出しを正確に行うことができる。
【００５８】
（６）  前記主基板４５は、満杯検知手段Ｆが出力した満杯検知信号を入力すると、前記各基板３２，４６，４８に対し各種制御信号（消灯、エラー音、払出し停止に関する各コマンド）を出力し、当該制御信号に基づき前記各基板３２，４６，４８において所定の制御が行われるようになっている。そのため、サブ化された各種基板（例えば、前記各基板３２，４６，４８）を備えた遊技機１０に対応した満杯検知手段Ｆを提供することができる。
【００５９】
（７）  満杯状態であっても前記球発射装置２０の発射駆動が停止することなく、遊技盤１３に対し遊技球が継続して打球されるようになっている。そして、打球された遊技球が前記各入賞口２３〜２８に入賞すると、前記主基板４５は当該入賞信号に基づき主基板用賞球総数を書き換えると共に、前記払出し制御基板４６では主基板４５が出力した賞球制御信号に基づき払出し制御基板用賞球総数を書き換えるようになっている。従って、満杯状態が解除された後、前記払出し制御基板４６では払出し制御基板用賞球総数の記憶値に基づいて正確な賞球の払出しができる。
【００６０】
なお、本実施形態は以下のように変更してもよい。
・  前記実施形態において、満杯検知手段Ｆとして溢れ球通路４２内の側壁に、例えば、センサーを設け、所定時間の間、前記センサーがＯＮ状態にあると満杯検知信号を主基板４５に対し出力するようにしてもよい。
【００６１】
・  前記実施形態では、賞球計数センサ３７ｃからのＯＮ信号に基づき、主基板用／払出し制御基板用賞球総数が１個ずつ減算されていたが、所定個数の払出しが行われた後、前記両賞球総数を減算してもよい。例えば、５個ずつ減算させてもよい。
【００６２】
・  前記実施形態では、主基板４５及び払出し制御基板４６において各別に主基板用／払出し制御基板用賞球総数が管理されているが、例えば、払出し制御基板４６では賞球総数が管理せずに主基板４５のみで賞球総数を管理してもよい。
【００６３】
・  前記実施形態では、満杯状態になるとスピーカ１６からエラー音が出力されるようになっているが、満杯状態となった場合に、例えば、大当たり遊技時に出力される効果音を消音させるだけでもよい。
【００６４】
・  前記実施形態では、満杯状態になると電飾表示部１７が消灯するようになっているが、電飾表示部１７における満杯報知に加えて賞球ＬＥＤ１８を遊技中の動作態様とは異なるように動作させてもよい。例えば、通常時とは異なるパターンの点滅、点灯をするようにしてもよい。また、電飾表示部１７における満杯状態時の制御を、通常時とは異なるパターンの点灯、点滅をするように制御してもよいし、通常時の電飾表示部１７の発光色とは異なる色で点灯、点滅するようにしてもよい。また、電飾表示部１７での満杯報知に代えて、賞球ＬＥＤ１８で満杯報知を行ってもよい。
【００６５】
・  前記実施形態では、満杯状態になると電飾表示部１７を消灯させることによって満杯報知を行っていたが、電飾表示部１７とは別に満杯状態の際のみに点灯又は点滅する、例えば、ランプ等の報知装置を設けてもよい。そして、当該報知装置を設ける場所は遊技者が確認できる場所であればどこでもよく、例えば、遊技盤１３上や前枠１４の周囲前面側や上球皿１５近傍や下球皿１９近傍でもよい。特に、下球皿１９近傍に設ける場合には、遊技者及びホールスタッフに対して下球皿１９が満杯状態となっていることを分かりやすく的確に報知することができる。
【００６６】
次に上記実施形態及び別例から把握できる請求項に記載した以外の技術的思想について、それらの効果とともに以下に記載する。
（イ）前記払出し制御手段においても、前記各賞球制御信号に対応した賞球数を逐次加算記憶して前記球払出し装置の駆動制御回数に対応する賞球数を各入賞信号毎の賞球数が合算された賞球総数で管理すると共に、前記球払出し装置からの賞球払出し信号が払出し制御手段に入力されることに基づき当該払出し制御手段で管理する前記賞球総数を減算するようにしたパチンコ遊技機。このように構成すれば、賞球が払い出されるまでの時間を短縮することができる。また、賞球の払出しをスムーズにできる。
【００６７】
（ロ）前記球払出し制御手段は、賞球を１個払出す毎に前記賞球払出し信号を出力するようになっているパチンコ遊技機。このように構成すれば、リアルタイムに賞球総数の管理を行うことができる。
【００６８】
【発明の効果】
本発明によれば、遊技者側に不利益な状況となることなくパチンコ遊技を行うことができる。
【図面の簡単な説明】
【図１】  パチンコ遊技機の機表側を示す正面図。
【図２】  パチンコ遊技機の機裏側を示す背面図。
【図３】  パチンコ遊技機の機裏側の溢れ球通路近傍を示す拡大図。
【図４】  パチンコ遊技機の電気的構成を示すブロック図。
【図５】  （ａ）は、満杯スイッチオフの状態を示す部分拡大図、（ｂ）は、満杯スイッチオンの状態を示す部分拡大図。
【図６】  パチンコ遊技機の満杯スイッチＯＮ、ＯＦＦ検出時における各制御手段における制御態様を示すタイミングチャート。
【符号の説明】
Ｆ…満杯検知手段、ＳＷ１…始動口スイッチ（入賞検知手段）、ＳＷ２…カウントスイッチ（入賞検知手段）、ＳＷ３…特定通過カウントスイッチ（入賞検知手段）、ＳＷ４〜ＳＷ７…入賞口スイッチ（入賞検知手段）、ＳＷ８…満杯スイッチ（満杯検知手段を構成する）、１０…パチンコ遊技機、１６…スピーカ（報知装置）、１７…電飾表示部（報知装置）、２０…球発射装置、２３…始動入賞口（入賞口）、２４…大入賞口（入賞口）、２５〜２８…第１〜第４入賞口（入賞口）、３２…ランプ制御基板（報知制御手段）、３７…賞球払出装置（球払出装置）、４２…溢れ球通路、４３…満杯検知レバー（満杯検知手段を構成する）、４５…主基板（メイン制御手段）、４６…払出し制御基板（払出し制御手段）、４７…発射制御基板（発射制御手段）、４８…音声制御基板（報知制御手段）。
【図１】
0004829400.tif 000002
【図２】
0004829400.tif 000003
【図３】
0004829400.tif 000004
【図４】
0004829400.tif 000005
【図５】
0004829400.tif 000006
【図６】
0004829400.tif 000007